(57)【要約】【課題】  より簡易な構成で、一本の筆記具本体で種々の筆記機構による筆記が可能な軸径の大きくない筆記具を提供する。【解決手段】  芯素子を収容する芯収容筒１０９を有するシャープペンシル用芯繰り出し機構１０３と、シャープペンシル用芯繰り出し機構１０３が挿通される軸筒１０２とを含み、シャープペンシル用芯繰り出し機構１０３の後端を、前端方向に押し込むことにより前記芯素子を突出させるように構成した筆記具において、シャープペンシル用芯繰り出し機構１０３がリング部材１１８を有し、リング部材１１８がその外側面にスリット１２０を有し、弾性変形可能であり、シャープペンシル用芯繰り出し機構１０３がリング部材１１８を介して軸筒１０２に係止されることを特徴とする筆記具。【選択図】        図１
2007050610.tif 000002
【特許請求の範囲】
【請求項１】
芯素子を収容する芯収容筒を有するシャープペンシル用芯繰り出し機構と、
前記シャープペンシル用芯繰り出し機構が挿通される軸筒とを含み、
前記シャープペンシル用芯繰り出し機構の後端を、前端方向に押し込むことにより前記芯素子を突出させるように構成した筆記具において、
前記シャープペンシル用芯繰り出し機構がリング部材を有し、
前記リング部材がその外側面にスリットを有し、弾性変形可能であり、
前記シャープペンシル用芯繰り出し機構が前記リング部材を介して前記軸筒に係止されることを特徴とする筆記具。
【請求項２】
前端面の開口した円筒状で、ノック操作押子を有する後部外筒と、
前後端面の開口した円筒状で、芯素子を収容する芯収容筒を有するシャープペンシル用芯繰り出し機構あるいはボールペン機構を収容可能であり、前記後部外筒と係合する前部外筒とを含み、
前記ノック操作押子を前端方向に押し込むことにより前記芯素子あるいはボールペン機構を突出させるように構成した筆記具において、
前記シャープペンシル用芯繰り出し機構がリング部材を有し、
前記リング部材がその外側面にスリットを有し、弾性変形可能であり、
前記シャープペンシル用芯繰り出し機構が前記リング部材を介して前記前部外筒に係止されることを特徴とする筆記具。
【請求項３】
前端面の開口した円筒状の後部外筒と、
前記後部外筒に収容され、前記後部外筒の回転により前端方向に摺動するカム機構を備えた内鞘と、
前後端面の開口した円筒状で、芯素子を収容する芯収容筒を有するシャープペンシル用芯繰り出し機構あるいはボールペン機構を収容可能であり、前記内鞘と係合する前部外筒とを含み、
前記後部外筒を前記前部外筒に対して相対回転させることで前記胴体部内のカム機構が前端方向に摺動し、これにより前記芯素子あるいはボールペン機構を突出させるように構成した筆記具において、
前記シャープペンシル用芯繰り出し機構がリング部材を有し、
前記リング部材がその外側面にスリットを有し、弾性変形可能であり、
前記シャープペンシル用芯繰り出し機構が前記リング部材を介して前記前部外筒に係止されることを特徴とする筆記具。
【請求項４】
請求項１ないし３のいずれか１項に記載の筆記具において、前記リング部材が、所望の位置に切り込み溝あるいは窓部を有することを特徴とする筆記具。
【発明の詳細な説明】
【技術分野】
【０００１】
本発明は、筆記具に関し、特に筆記機構を交換可能な筆記具に関するものである。
【背景技術】
【０００２】
従来、種々の直径を有するシャープペン芯素子（以下、芯素子とする）と、該芯素子を使用可能なシャープペンシルが広く実用されている。これらのシャープペンシルは、シャープペンシル（筆記具）本体に備えられたシャープペンシル用芯繰り出し機構によって定められる芯直径の芯素子を専用に使用するものであった。
【０００３】
そのため、様々な太さの筆記を希望する場合には、各太さに対応した芯直径の芯素子を使用可能なシャープペンシルを複数本備えていなければならなかった。
【０００４】
また、ボールペンによる筆記とシャープペンシルによる筆記とを希望する場合には、ボールペンとシャープペンシルとを持っている必要がある。
【０００５】
これに対しては、シャープペンシル用芯繰り出し機構とボールペン機構とを一つの軸筒に収めた複合筆記具が提案されている（例えば、特許文献１参照）。これによれば一本の筆記具でボールペンによる筆記とシャープペンシルによる筆記とが可能となる。
【特許文献１】特開平１０−１２９１８９号公報
【発明の開示】
【発明が解決しようとする課題】
【０００６】
ここで、従来例に係る複合筆記具と同様の構成をとることで、複数の芯直径を有する芯素子を、一本の筆記具本体において使用可能な筆記具を提供することも可能であるかと思われる。
【０００７】
しかしながら、従来例に係る筆記具においては、軸筒中に複数本の筆記機構（シャープペンシル用芯繰り出し機構とボールペン機構）が軸心方向に対して並列に配され、交互に出没する構成であった。そのため、構造が複雑であり、また部品点数が多くなるという問題があった。また筆記具本体の軸径が大きくなってしまい、携帯し難く、また筆記し難いという問題があった。
【０００８】
本発明は、このような問題点に鑑みて為されたものであり、その目的とする処は、より簡易な構成で、一本の筆記具本体で種々の筆記機構による筆記が可能な軸径の大きくない筆記具を提供することにある。
【課題を解決するための手段】
【０００９】
本発明は、下記の技術的構成により前記目的を達成できたものである。
【００１０】
（１）芯素子を収容する芯収容筒を有するシャープペンシル用芯繰り出し機構と、前記シャープペンシル用芯繰り出し機構が挿通される軸筒とを含み、前記シャープペンシル用芯繰り出し機構の後端を、前端方向に押し込むことにより前記芯素子を突出させるように構成した筆記具において、前記シャープペンシル用芯繰り出し機構がリング部材を有し、前記リング部材がその外側面にスリットを有し、弾性変形可能であり、前記シャープペンシル用芯繰り出し機構が前記リング部材を介して前記軸筒に係止されることを特徴とする筆記具。
【００１１】
（２）前端面の開口した円筒状で、ノック操作押子を有する後部外筒と、前後端面の開口した円筒状で、芯素子を収容する芯収容筒を有するシャープペンシル用芯繰り出し機構あるいはボールペン機構を収容可能であり、前記後部外筒と係合する前部外筒とを含み、前記ノック操作押子を前端方向に押し込むことにより前記芯素子あるいはボールペン機構を突出させるように構成した筆記具において、前記シャープペンシル用芯繰り出し機構がリング部材を有し、前記リング部材がその外側面にスリットを有し、弾性変形可能であり、前記シャープペンシル用芯繰り出し機構が前記リング部材を介して前記前部外筒に係止されることを特徴とする筆記具。
【００１２】
（３）前端面の開口した円筒状の後部外筒と、前記後部外筒に収容され、前記後部外筒の回転により前端方向に摺動するカム機構を備えた内鞘と、前後端面の開口した円筒状で、芯素子を収容する芯収容筒を有するシャープペンシル用芯繰り出し機構あるいはボールペン機構を収容可能であり、前記内鞘と係合する前部外筒とを含み、前記後部外筒を前記前部外筒に対して相対回転させることで前記胴体部内のカム機構が前端方向に摺動し、これにより前記芯素子あるいはボールペン機構を突出させるように構成した筆記具において、前記シャープペンシル用芯繰り出し機構がリング部材を有し、前記リング部材がその外側面にスリットを有し、弾性変形可能であり、前記シャープペンシル用芯繰り出し機構が前記リング部材を介して前記前部外筒に係止されることを特徴とする筆記具。
【発明の効果】
【００１３】
本発明によれば、より簡易な構成で、一本の筆記具本体で種々の筆記機構による筆記が可能な軸径の大きくない筆記具を提供することができる。
【発明を実施するための最良の形態】
【００１４】
以下本発明の実施例について、図面を参照しながら説明する。
【００１５】
ただし、この実施例に記載されている構成部品の寸法、材質、形状、その相対配置等は、特に特定的な記載がない限りは、この発明の範囲をそれらのみに限定する趣旨のものではない。
【実施例１】
【００１６】
本実施例に係る筆記具を、図面を用いて説明する。
【００１７】
図１は、本実施例に係る筆記具の全部品を組み立てた状態の概略断面図である。本実施例に係る筆記具は、ノック式シャープペンシルである。図１において、筆記具本体１０１は、前後端の開口した軸筒１０２と、軸筒１０２内に挿通されるシャープペンシル用芯繰り出し機構１０３（以下、シャープペンシル機構とする）とを有する。
【００１８】
図２は、軸筒１０２の概略断面図である。軸筒１０２は、前後端の開口した外筒１０４と、外筒１０４の前端開口部に装着される口金１０５とを有する。
【００１９】
外筒１０４の後端開口部からは、シャープペンシル機構１０３の後部が突出する。また、外筒１０４の外側面にはクリップ１０６が配設される。本実施例においては、クリップ１０６が配設された構成としたが、クリップ１０６の配設の有無およびクリップ１０６の形状は特にこれに限定されない。
【００２０】
口金１０５は前後端が開口し、後述するように、シャープペンシル機構１０３の先端部が挿通される。口金１０５の内側面にはバネ受け座１０７が形成され、該バネ受け座１０７においてシャープペンシル機構１０３を後方向に付勢するコイルスプリングＳ１の前端が係止される。またバネ受け座１０７よりも前方には、細径部１０８が形成される。なお、本実施例に係るノック式シャープペンシルにおいては、コイルスプリングＳ１を有しない構成であってもよい。
【００２１】
続いてシャープペンシル機構１０３について説明する。
【００２２】
図３は、シャープペンシル機構１０３の概略図である。また図４はシャープペンシル機構１０３の先端部の部分断面図である。
【００２３】
シャープペンシル機構１０３は、芯収容筒１０９と、芯収容筒１０９の前端に圧入・固定されるチャック部１１０と、芯収容筒１０９の後端に圧入・固定される消しゴム収容部１１１とを有する。
【００２４】
芯収容筒１０９は、合成樹脂等から成るパイプ形状であって、不図示の芯素子が収容される。芯収容筒１０９の前端面１１２において、シャープペンシル機構１０３を後方向に付勢するコイルスプリングＳ１の後端が係止される。
【００２５】
消しゴム収容部１１１は、芯収容筒１０９の後端開口部に圧入される消しゴム収容部材１１３と、消しゴム収容部材１１３に収容される不図示の消しゴムと、消しゴム収容部材１１３に冠着されるキャップ１１４とから成る。
【００２６】
消しゴム収容部材１１３は、前後端の開口した筒状で、その前端部が芯収容筒１０９の後端開口部に圧入される。また、後端開口部から消しゴムが挿入される。芯素子を補充する場合には、消しゴム収容部材１１３から消しゴムを取り外し、後端開口部から芯素子を挿入する。芯素子は前端開口部から芯収容筒１０９に送られ、補充が完了する。
【００２７】
図４に示されるように、チャック部１１０は、チャック筒１１５と、チャック１１６、チャック１１６に外嵌される締リング１１７およびチャックスプリングＳ２を有するチャック機構とを有する構成である。チャック筒１１５の前部には、後述するリング部材１１８が遊嵌される。
【００２８】
続いて、リング部材１１８について図５を用いて詳細に説明する。図５（ａ）は、リング部材１１８の前面端面図、（ｂ）は側面断面図、（ｃ）は後面端面図である。
【００２９】
リング部材１１８には、その前端部外側面に、前後方向側面が所定角度で傾斜した断面台形状の凸部１１９が周設される。凸部１１９の頂端外径は、口金１０５の細径部１０８の内径よりもやや大きく構成されている。またリング部材１１８の外径は、細径部１０８の内径とほぼ同径である。リング部材１１８には前端から後端に亘ってスリット１２０が形成されており、したがってリング部材１１８は適宜弾性変形可能である。
【００３０】
すなわち、リング部材１１８は、筆記具本体１０１の軸心に対して半径方向の力を受けて、外内側に弾性変形可能である。また、リング部材１１８には、任意の位置に不図示の切り込み溝あるいは窓部を形成可能であり、これによりリング部材１１８の弾性を適宜調節することができる。
【００３１】
続いて、本実施例に係る筆記具における、シャープペンシル機構１０３の交換操作について、図６を用いて説明する。
【００３２】
シャープペンシル機構１０３が外筒１０４の後端開口部から外筒１０４内に挿入されると、その先端部が口金１０５の細径部１０８に到達する。ここで、チャック筒１１５に遊嵌されたリング部材１１８の凸部１１９の頂端外径が、口金１０５の細径部１０８の内径よりも大きいため、凸部１１９が細径部１０８の後端周縁に引っかかり、抵抗が生じる（図６（Ａ））。
【００３３】
シャープペンシル機構１０３に対してさらに前端方向の力を加えると、細径部１１８の後端周縁からの押力によって軸心に対して半径方向内側の力がリング部材１１８に加わり、リング部材１１８は内径が小さくなるように変形する。そして凸部１１９の頂端外径が細径部１０８の内径と略同径となるまでリング部材１１８が変形すると、凸部１１９の頂端が細径部１０８内側面と摺接して、シャープペンシル機構１０３は前端方向に推進可能となる（図６（Ｂ））。
【００３４】
さらに前進させて、凸部１１９が口金１０５の前端開口部を通過すると、リング部材１１８は細径部１０８の内側面の押力から解放され、元の形状に戻る（図６（Ｃ））。シャープペンシル機構１０３は、コイルスプリングＳ１により後端方向に付勢されるが、凸部１１９が口金１０５の前端面開口部周縁に引っかかり、シャープペンシル機構１０３は係止される。
【００３５】
リング部材１１８の凸部１１９と口金前端面開口部周縁との引っかかりによる抵抗は、筆記圧力に耐え得るものである。しかしながら、後端方向へ筆圧以上の一定の力が加わった場合には、口金前端面開口部周縁からの押力によって軸心に対して半径方向内側の力がリング部材１１８に加わり、リング部材１１８は内径が小さくなるように変形し、細径部１１８内へ埋没可能となる。
【００３６】
したがって、筆記時には筆圧により後端方向に力が加わるが、シャープペンシル機構１０３が口金１０５から後端方向に没入してしまうことはない。一方、シャープペンシル機構１０３を交換するために後端方向に一定以上の力を加えた場合には、シャープペンシル機構１０３が口金１０５から没入し、後端方向に摺動して、軸筒１０２から取り出すことができる。これにより、所望の芯直径に対応したシャープペンシル機構１０３を容易に交換することができる。
【実施例２】
【００３７】
実施例１に係る筆記具は、シャープペンシル機構１０３を変更可能なノック式シャープペンシルであったが、本実施例に係る筆記具は、シャープペンシル機構だけでなく、ボールペン機構をも利用可能なノック式筆記具である。
【００３８】
本実施例については、実施例１と異なる構成のみについて説明し、同一の構成については同一の符号を付し、説明は省略する。
【００３９】
図７は、本実施例に係る筆記具の分解説明図である。図７において、本実施例に係るノック式筆記具の筆記具本体２０１は、前端の開口した後部外筒２０２と前後端の開口した前部外筒２０３と、前部外筒２０３内に挿通されるシャープペンシル機構２０４あるいはボールペン機構２０５とを有する。
【００４０】
前部外筒２０３に、シャープペンシル機構２０４あるいはボールペン機構２０５が挿通されると、シャープペンシル機構２０４の場合には、実施例１と同様にして、シャープペンシル機構２０４の先端部のリング部材１１８が口金１０５の前端面開口部周縁に係止される。またボールペン機構２０５の場合には、コイルスプリングＳ１により後方に付勢された状態で前部外筒２０３内に収容される。
【００４１】
そして前部外筒２０３の後端開口部から突出したシャープペンシル機構２０４およびボールペン機構２０５の後部が、後部外筒２０２に収容される。前部外筒２０３の後端外側面と後部外筒２０２の前端外側面とには螺溝が周設され、螺合する。
【００４２】
後部外筒２０２の後部には、ノック操作押子２０６を有する公知のノック機構が設けられている。ノック操作押子２０６が前端方向に押されると、ボールペン機構２０５はその後端面が前端方向に押され、コイルスプリングＳ１の付勢力に逆らって前端方向に推進する。すると、ボールペン機構２０５の先端のボールペン先端部が口金１０５から突出し、筆記可能となる。
【００４３】
前部外筒２０３と後部外筒２０２にシャープペンシル機構２０４が収容された場合もまた、ボールペン機構２０５と同様に、ノック操作押子２０６が押されると、シャープペンシル機構２０４の後端面が前端方向に押され、チャックスプリングＳ２の付勢力に逆らって前進し、芯が先端部から突出して筆記可能となる。
【実施例３】
【００４４】
実施例１および２に係る筆記具は、ノック式筆記具であったが、本実施例に係る筆記具は、回転繰出し式筆記具である。
【００４５】
本実施例については、実施例１および２と異なる構成のみについて説明し、同一の構成については同一の符号を付し、説明は省略する。
【００４６】
図８は、本実施例に係る筆記具の分解説明図である。図８において、本実施例に係る回転繰り出し式筆記具の筆記具本体３０１は、内鞘３０６を収容する前端の開口した後部外筒３０２と、前後端の開口した前部外筒３０３と、前部外筒３０３内に挿通されるシャープペンシル機構３０４あるいはボールペン機構３０５とを有する。
【００４７】
前部外筒３０３にシャープペンシル機構３０４あるいはボールペン機構３０５が挿通されると、シャープペンシル機構３０４の場合には、実施例１および２と同様にして、シャープペンシル機構３０４の先端部のリング部材１１８が口金１０５の前端開口部周縁に係止される。またボールペン機構３０５の場合には、コイルスプリングＳ１により後方に付勢された状態で前部外筒３０３内に収容される。
【００４８】
そして前部外筒３０３の後端開口部から突出したシャープペンシル機構３０４およびボールペン機構３０５の後部が、後部外筒３０２内の内鞘３０６に収容される。前部外筒３０３の後端外側面には螺溝が周設され、後述するように内鞘３０６と螺合する。
【００４９】
続いて、本実施例に係る回転繰り出し式筆記具における回転繰り出し機構について図８および図９を用いて説明する。図９は、内鞘３０６の部分断面図である。
【００５０】
後部外筒３０２の後部には、公知の回転繰り出し機構としてのカム機構を構成する内鞘３０６が収容される。内鞘３０６は、回転頭部３０７と胴体部３０８とを有する。
【００５１】
回転頭部３０７の外側面には係止凸部３０９が形成される。また、内側面には係合突起３１０が形成される。胴体部３０８の内側面にはガイド凸部３１１が形成される。また、前部内側面には螺溝が周設され、前部外筒３０３と螺合する。
【００５２】
胴体部３０８には、回転カム３１２と押出部材３１３とが収容される。回転カム３１２は胴体部３０８に回転可能に収容され、その後部は胴体部３０８の後端面開口部から突出する。後端面開口部から突出した回転カム３１２の後部には回転頭部３０７が冠着されるが、係合突起３１０により回転カム３１２は回転頭部３０７に対して相対回転不可能に係合する。回転カム３１２の前端面には傾斜部３１４が形成される。
【００５３】
押出部材３１３は、外側面にガイドレール３１５を有し、ガイド凸部３１１がガイドレール３１５に嵌合するようにして胴体部３０８に収容される。そのため、押出部材３１３は胴体部３０８に対して前後方向に摺動可能でかつ相対回転不可能である。後端面は、回転頭部３１２の傾斜部３１４に接触する。
【００５４】
内鞘３０６が後部外筒３０２内に収容されると、係止凸部３０９が後部外筒３０２の内側面によって回転不可能に挟止される。したがって、後部外筒３０２、回転頭部３０７および回転カム３１２は、それぞれは相対回転不可能であるが、胴体部３０８に対しては相対回転可能に構成されている。
【００５５】
また、内鞘３０６が前部外筒３０３と羅合すると、押出部材３１３の前端面がシャープペンシル機構３０４あるいはボールペン機構３０５の後端面と接する。
【００５６】
続いて、本実施例に係る筆記具の回転繰り出し動作について説明する。
【００５７】
後部外筒３０２を前部外筒３０３に対して相対的に回転させると、後部外筒３０２と併せて回転頭部３０７および回転カム３１２が回転する。回転カム３１２の回転により、押出部材３１３が前端方向に押し出される。押し出された押出部材３１３は、シャープペンシル機構３０４あるいはボールペンシル機構３０５を前端方向に押し出す。
【００５８】
ボールペン機構３０５の場合には、ボールペン機構３０５がコイルスプリングＳ１の付勢力に逆らって前端方向に推進し、その先端部が口金１０５から突出し、筆記可能となる。
【００５９】
シャープペンシル機構の場合には、シャープペンシル機構３０４がコイルスプリングＳ１およびチャックスプリングＳ２の付勢力に逆らって前進し、芯が先端部から突出して筆記可能となる。
【００６０】
なお、本実施例に係る回転繰り出し機構は、特にこれに限定されるものではない。
【００６１】
以上説明した実施例１ないし３によれば、ユーザが容易に芯直径の異なるシャープペン機構を交換することができる。また、容易にシャープペンシル機構とボールペン機構とを交換することができる。
【００６２】
また、メーカあるいは販売側は、外筒とシャープペン機構とボールペン機構とを別々に在庫として保管しておき、顧客の需要に応じて筆記具として組み立てることで、シャープペンとボールペンとの量を調節できるため、在庫管理が容易になる。
【図面の簡単な説明】
【００６３】
【図１】実施例１に係る筆記具の概略断面図
【図２】軸筒の概略断面図
【図３】シャープペンシル用芯繰り出し機構の概略図
【図４】ャープペンシル用芯繰り出し機構の先端部の部分断面図
【図５】（ａ）、（ｂ）、（ｃ）はリング部材を説明する図
【図６】シャープペンシル用芯繰り出し機構の交換操作を説明する図
【図７】実施例２に係る筆記具の分解説明図
【図８】実施例３に係る筆記具の分解説明図
【図９】内鞘の部分断面図
【符号の説明】
【００６４】
１０１、２０１、３０１  筆記具本体
１０２  軸筒
１０３、２０４、３０４  シャープペンシル用芯繰り出し機構
１０９  芯収容筒
１１８  リング部材
１２０  スリット
２０２  後部外筒
２０３  前部外筒
２０５、３０５  ボールペン機構
【図１】
2007050610.tif 000003
【図２】
2007050610.tif 000004
【図３】
2007050610.tif 000005
【図４】
2007050610.tif 000006
【図５】
2007050610.tif 000007
【図６】
2007050610.tif 000008
【図７】
2007050610.tif 000009
【図８】
2007050610.tif 000010
【図９】
2007050610.tif 000011